(57)【要約】【課題】停電等の事故からの復帰をスムーズに行う。【解決手段】投入された紙幣が真券であるかどうかを判定する識別機能を備えるとともに、投入された紙幣が真券である時に少なくとも確定金種情報を含む紙幣情報を外部に送出する通信部Ｃ３を備えた紙幣識別機１である。上記通信部Ｃ３は上記紙幣情報として真券判定回数識別情報を含むデータを外部に向けて送出する。停電や断線や通信エラーなどがあっても、紙幣識別機から送出された真券判定回数識別情報を参照することで処理を継続することができる。【選択図】  図１
2004178223.tif 000002
【特許請求の範囲】
【請求項１】
投入された紙幣が真券であるかどうかを判定する識別機能を備えるとともに、投入された紙幣が真券である時に少なくとも確定金種情報を含む紙幣情報を外部に送出する通信部を備えた紙幣識別機であって、上記通信部は上記紙幣情報として真券判定回数識別情報を含むデータを外部に向けて送出するものであることを特徴とする紙幣識別機。
【請求項２】
投入された紙幣が真券であるとの判定後に真券判定回数識別情報をインクリメントして外部に向けて送出するものであることを特徴とする請求項１記載の紙幣識別機。
【請求項３】
真券判定回数識別情報として任意の範囲内でインクリメントし且つロールオーバーする数値を用いていることを特徴とする請求項１または２記載の紙幣識別機。
【請求項４】
紙幣の引き抜き防止手段を備えているとともに不揮発性メモリで構成されたメモリ部を備えており、投入された紙幣が真券であるとの判定後で且つ紙幣が引き抜き防止手段を通過する前にインクリメントされた真券判定回数識別情報をメモリ部に書き込むものであることを特徴とする請求項１〜３のいずれかの項に記載の紙幣識別機。
【請求項５】
紙幣の引き抜き防止手段を備えているとともに不揮発性メモリで構成されたメモリ部を備えており、投入された紙幣が真券であるとの判定後で且つ紙幣が引き抜き防止手段を通過した後にインクリメントされた真券判定回数識別情報を外部に向けて送出するものであることを特徴とする請求項１〜４のいずれかの項に記載の紙幣識別機。
【請求項６】
紙幣の引き抜き防止手段を備えているとともに不揮発性メモリで構成されたメモリ部を備えており、投入された紙幣が真券であるとの判定後で且つ紙幣が引き抜き防止手段を通過する前に確定金種情報をメモリ部に書き込むものであることを特徴とする請求項１〜５のいずれかの項に記載の紙幣識別機。
【請求項７】
紙幣の引き抜き防止手段を備えているとともに不揮発性メモリで構成されたメモリ部を備えており、投入された紙幣が真券であるとの判定後で且つ紙幣が引き抜き防止手段を通過した後に確定金種情報を外部に向けて送出するものであることを特徴とする請求項１〜６のいずれかの項に記載の紙幣識別機。
【請求項８】
外部に向けて送出した情報に対する外部からの確認情報を受けてメモリ部に記憶した確定金種情報をクリアするものであることを特徴とする請求項６記載の紙幣識別機。
【請求項９】
メモリ部に書き込まれた情報から外部に送出する情報を生成するものであることを特徴とする請求項４〜８のいずれかの項に記載の紙幣識別機。
【請求項１０】
外部からのポーリングに対するレスポンスデータとして情報を送出するものであることを特徴とする請求項１〜９のいずれかの項に記載の紙幣識別機。
【請求項１１】
電源立ち上げ時にメモリ部に書き込まれた確定金種情報をチェックしてクリアされていなければ外部にエラーを通知するエラーモードに入るものであることを特徴とする請求項８記載の紙幣識別機。
【請求項１２】
請求項１〜１１のいずれかの項に記載の紙幣識別機と、紙幣識別機から送出された紙幣情報に基づいて所要の動作を行うホストとからなり、ホストは紙幣識別機から送られてきた真券判定回数識別情報と前回送られてきた真券判定回数識別情報とを比較する比較部を備えていることを特徴とする紙幣識別装置。
【発明の詳細な説明】
【０００１】
【発明の属する技術分野】
本発明は投入された紙幣の識別を行う紙幣識別機及びこの紙幣識別機を備える紙幣識別装置とに関するもの、殊に遊技場の遊技設備の一部としての紙幣識別機及び紙幣識別装置に関するものである。
【０００２】
【従来の技術】
遊技設備における紙幣識別装置は、一般に紙幣識別機と、この紙幣識別機と通信を行うホスト（たとえば遊技設備における玉貸し機や有価カードの発行機）とで構成され、紙幣識別機には、通常、紙幣投入口から差し込まれた紙幣を送る送り手段と、紙幣の光学的または及び磁気的識別を行う識別手段と、識別手段によって真券でないと判断された紙幣を戻す戻し手段と、取り込んだ紙幣が引き抜かれることを防止する引き抜き防止手段とを備えたものが用いられている。
【０００３】
そして、紙幣識別機の紙幣投入口に紙幣を差し込むと、送り手段が紙幣を奥方に送り込むとともに、この時、紙幣が真券であるか否かと金種とを識別手段が判断し、真券であると判断できなかった紙幣は戻し手段によって返却し、真券であると判断された時には送り手段で紙幣を引き抜き防止手段よりも更に奥方に送り込んで紙幣の引き抜きを防ぐとともに、金種情報等の判断結果情報をホストに通知する。そして上記ホストは紙幣識別機から受けた情報を基に玉貸し動作や有価カードの発行動作を行う。
【０００４】
【特許文献１】
実公平６−５００６１号公報
【０００５】
【発明が解決しようとする課題】
ここにおいて、紙幣識別機に紙幣を投入した時に停電が生じた場合を考えると、紙幣が既に真券と判断され且つ引き抜き防止手段を通過した後に停電になった場合と、紙幣が既に真券と判断されたものの引き抜き防止手段を通過していない時点で停電になった場合と、紙幣識別が完了していない（当然ながら引き抜き防止手段を通過していない）時点で停電になった場合とがある。
【０００６】
この時、引き抜き防止手段を紙幣が通過していない時点で停電になった場合は、停電からの復帰時、紙幣識別機は戻し手段を作動させて紙幣を戻すことで紙幣の返却を行った後、エラーモードに入り、引き抜き防止手段を紙幣が通過している場合は、紙幣をそのままの状態で保持するとともにエラーモードに入るようにしているものが多い。
【０００７】
エラーモードに入るのは、紙幣が真券であると判定されてその情報が停電前にホスト側に既に送らたかどうか、ホスト側が真券であるとの情報を受けて発券等の処理を行ったかどうかをホスト側でも判断できない場合があるためであり、エラーモードから復帰させるのに人手によるチェックを必要としている。
【０００８】
本発明はこのような点に鑑みなされたものであって、その目的とするところは停電等の事故からの復帰をスムーズに行うことができる紙幣識別機及び該紙幣識別機を備える紙幣識別装置を提供するにある。
【０００９】
【課題を解決するための手段】
しかして本発明に係る紙幣識別機は、投入された紙幣が真券であるかどうかを判定する識別機能を備えるとともに、投入された紙幣が真券である時に少なくとも確定金種情報を含む紙幣情報を外部に送出する通信部を備えた紙幣識別機であって、上記通信部は上記紙幣情報として真券判定回数識別情報を含むデータを外部に向けて送出するものであることに特徴を有している。
【００１０】
停電や断線や通信エラーなどがあっても、紙幣識別機から送出された真券判定回数識別情報を参照することで処理を継続することができる。
【００１１】
この時、投入された紙幣が真券であるとの判定後に真券判定回数識別情報をインクリメントして外部に向けて送出するものであることが好ましく、真券判定回数識別情報として任意の範囲内でインクリメントし且つロールオーバーする数値を用いていることが好ましい。
【００１２】
紙幣識別機は紙幣の引き抜き防止手段を備えているとともに不揮発性メモリで構成されたメモリ部を備えており、投入された紙幣が真券であるとの判定後で且つ紙幣が引き抜き防止手段を通過する前にインクリメントされた真券判定回数識別情報をメモリ部に書き込むものが好ましい。
【００１３】
また、紙幣の引き抜き防止手段を備えているとともに不揮発性メモリで構成されたメモリ部を備えて、投入された紙幣が真券であるとの判定後で且つ紙幣が引き抜き防止手段を通過した後にインクリメントされた真券判定回数識別情報を外部に送出するものであることが好ましい。
【００１４】
更には、紙幣の引き抜き防止手段を備えているとともに不揮発性メモリで構成されたメモリ部を備えており、投入された紙幣が真券であるとの判定後で且つ紙幣が引き抜き防止手段を通過する前に確定金種情報をメモリ部に書き込むものや、投入された紙幣が真券であるとの判定後で且つ紙幣が引き抜き防止手段を通過した後に確定金種情報を外部に送出するものが好ましい。
【００１５】
また、外部に送出した情報に対する外部からの確認情報を受けてメモリ部に記憶した確定金種情報をクリアするものであることが好ましい。
【００１６】
メモリ部に書き込まれた情報から外部に送出する情報を生成するものであることも好ましい。
【００１７】
外部からのポーリングに対するレスポンスデータとして情報を送出するものを好適に用いることができるほか、外部に送出した情報に対する外部からの確認情報を受けてメモリ部に記憶した確定金種情報をクリアするものである場合、紙幣識別機は電源立ち上げ時にメモリ部に書き込まれた確定金種情報をチェックしてクリアされていなければ外部にエラーを通知するエラーモードに入るものが好ましい。
【００１８】
そして本発明に係る紙幣識別装置は、上記の紙幣識別機と、紙幣識別機から送出された紙幣情報に基づいて所要の動作を行うホストとからなり、ホストは紙幣識別機から送られてきた真券判定回数識別情報と前回送られてきた真券判定回数識別情報とを比較する比較部を備えていることに特徴を有している。
【００１９】
停電や断線や通信エラーなどがあっても、ホストは紙幣識別機から送られてきた真券判定回数識別情報と前回送られてきた真券判定回数識別情報との比較により、処理済みかどうかを判別することができる。
【００２０】
【発明の実施の形態】
以下本発明を実施の形態の一例に基づいて詳述すると、この紙幣識別装置は、紙幣識別機１と、紙幣識別機１が組み込まれたホスト２とからなるもので、前面に開口するスリット状の紙幣投入口１０を開口させている紙幣識別機１は、図２に示すように、内部にベルト型の紙幣搬送手段１１を備えるとともに、投入検知センサ１２と、紙幣の光学的または及び磁気的識別を行う紙幣識別センサ１３、レバー型の引き抜き防止手段１４、終端検知センサ１５を備えている。
【００２１】
上記紙幣搬送手段１１は、その駆動用モータ（図示せず）の正転時に紙幣を内部に送り込み、逆転時に紙幣を戻すもので、前記送り手段と戻し手段とを兼ねたものとなっている。
【００２２】
引き抜き防止手段１４は、ばねによって紙幣通過路に向けて突出する方向に付勢されているもので、紙幣が送り込まれる時は紙幣に押されてばねに抗して倒れることで紙幣の通過を許すものの、紙幣が通過してしまえば、突出状態に戻って紙幣が戻ることを防止する。なお、該引き抜き防止手段１４は、その状態を後述する制御部Ｃに出力する機能を備えている。
【００２３】
今、紙幣投入口１０に紙幣９を差し込めば、紙幣９の先端が投入検知センサ１２に検知された時点で紙幣搬送手段１１が作動して紙幣９を送る。この紙幣９の搬送中に識別センサ１３による紙幣の検知識別動作が行われ、紙幣９が真券であると判断された時には、紙幣搬送手段１１による紙幣の送り動作によって紙幣９は引き抜き防止手段１４を越えて搬送され、紙幣終端センサ１５が紙幣９の終端を検知した時点で紙幣搬送手段１１が停止する。
【００２４】
識別センサ１３による紙幣の検知識別動作で紙幣９が真券でないと判断された時には、その時点（引き抜き防止手段１４の通過前の時点）で紙幣搬送手段１１のモータを逆転させて紙幣９を返却する。
【００２５】
図１に紙幣識別機１のブロック図を示す。上記の動作制御を行う制御部Ｃは、駆動部１８を介して紙幣搬送手段１１を駆動するもので、識別センサ１３が接続された識別判定部Ｃ１とメモリ部Ｃ２と通信部Ｃ３とを備えている。ここにおけるメモリ部Ｃ２は不揮発性メモリで形成されている。また通信部Ｃ３は、前記ホスト２との通信を行うもので、投入された紙幣９が真券であると判断された時、その紙幣９の金種情報を含むデータをホスト２に通知する。この通知は紙幣識別機１からの自主的発信で行うものであっても、ホスト２側からのたとえば２００ｍｓｅｃ間隔のポーリングに対するレスポンスとして発信するものであってもよい。
【００２６】
上記ホスト２は、ここでは紙幣識別機１が組み込まれた機器（たとえば玉貸し機やカード発行機、両替機等）であり、玉貸しや発券等の動作制御を行う制御部Ｄを備えるとともに、該制御部Ｄは紙幣識別機１との間の通信を行う通信部Ｄ１と、不揮発性メモリで形成されたメモリ部Ｄ２とを備えている。なお、ホスト２と紙幣識別機１との間の通信はシリアル通信でなされるようにしてある。
【００２７】
そして、ホスト２は紙幣識別機１から金種情報を含むデータを受信したならば、金種情報を基に発券等の処理を開始するのであるが、紙幣識別機１から送られてくる上記データは、図１に示すように、スタートコード、データコード、真券判定回数識別情報、確定金種情報、装置状態情報、そしてチェックコードで構成されたものとなっている。ここにおける真券判定回数識別情報は、真券であると判定した回数を識別するためのもので、前回の真券判定回数識別情報がたとえばｍである時、次の真券判定回数情報はｍ＋１となるようにしている。また、最新の新券判定回数識別情報は、紙幣識別機１側ではメモリ部Ｃ２に、ホスト２側ではメモリ部Ｄ２に書き込むようにしている。
【００２８】
すなわち、ホスト２側からのポーリング動作に対するレスポンスで前記データを紙幣識別機１が送り出す場合について説明すると、ホスト２側からのポーリングがあった時、紙幣識別機１はゼロを意味する確定金種情報と、メモリ部Ｃ２に書き込まれている真券判定回数識別情報とを含むデータをレスポンスデータとしてホスト２に返送する。ホスト２はこのレスポンスデータ中の確定金種情報と真券判定回数識別情報とをメモリ部Ｄ２に書き込む。新たなレスポンスデータ中の確定金種情報と真券判定回数識別情報は、メモリ部Ｄ２に書き込まれている確定金種情報と真券判定回数識別情報との比較の上、異常な値でなければ、新たな情報をメモリ部Ｄ２に書き込む。異常な値であれば、エラー処理に移る。新たなレスポンスデータ中の確定金種情報と真券判定回数識別情報と、メモリ部Ｄ２に書き込まれている確定金種情報と真券判定回数識別情報とが同じであれば、書き込みは行わないものであってもよい。なお、メモリ部Ｄ２への書き込み処理中に停電等の事故があった場合は処理中のエラーとしてホスト２側で制御する。
【００２９】
そして紙幣識別機１に投入された紙幣９が真券であると判定された時、紙幣識別機１の制御部Ｃは、その紙幣９の確定金種情報とそれまでメモリ部Ｃ２に格納されていた真券判定回数識別情報にプラス１した値の真券判定回数識別情報とをメモリ部Ｃ２に書き込み、次いで紙幣９が引き抜き防止手段１４を通過した後のタイミングのポーリング時に、その紙幣９の金種情報を含み且つメモリ部Ｃ２に格納されている値の真券判定回数識別情報を含んだデータをレスポンスデータとしてホスト２に返送する。
【００３０】
一方、ホスト２側は返送されたレスポンスデータ中の確定金種情報から発券等の動作を行うとともに、新たな真券判定回数識別情報をメモリ部Ｄ２にオーバーライトし、次いで確認完了データを紙幣識別機１に送る。この確認完了データを受けた紙幣識別機１は、メモリ部Ｃ２に書き込まれている確定金種情報をゼロ相当のものに変更する。
【００３１】
このように、最新の真券判定回数識別情報を紙幣識別機１側のメモリ部Ｃ２及びホスト２側のメモリ部Ｄ２に常に格納しているとともに、これらメモリ部Ｃ２，Ｄ２は不揮発性メモリで構成しているために、停電後の復帰時にも最新の真券判定回数識別情報が保持されていることから、紙幣識別機１に紙幣９を投入してからホスト２側での発券等の処理が完了するまでに停電があった場合、ホスト２の制御部Ｄは停電からの復帰時に、メモリ部Ｄ２に格納されている真券判定回数識別情報と、紙幣識別機１側のメモリ部Ｃ２に格納されている（ポーリング時のレスポンスデータ中に含まれている）真券判定回数識別情報とを比較することで、その紙幣９に対する処理が完了しているかどうかを判定することができ、処理が完了していない場合は発券等の動作に移行する。
【００３２】
ここにおいて、真券判定回数識別情報は、実際にその回数を示すものである必要はなく、前回と異なるものであればよいものであり、また前述のように前回の値にプラス１したインクリメンタル動作でなくても良いが、ホスト２に送るデータのデータ長さの固定化の点からすれば、たとえば４ｂｉｔデータのインクリメントでロールオーバーするもの、つまり０→１→２→３→４→５→６→７→８→９→Ａ→Ｂ→Ｃ→Ｄ→Ｅ→Ｆ→０→１と変化させるものを好適に用いることができる。
【００３３】
そして紙幣識別機１の制御部Ｃが上記インクリメントした真券判定回数識別情報や確定金種情報をメモリ部Ｃ２に書き込むタイミングとしては、真券判定後で且つ紙幣９が引き抜き防止手段１４を通過する前であることが好ましい。引き抜き防止手段１４を通過後に書き込むものとすると、引き抜き防止手段１４の通過前に停電が生じた時、駆動系の惰性で紙幣９が引き抜き防止手段１４を通過してしまう可能性があり、このために引き抜き防止手段１４を通過した紙幣９に対して常にインクリメントされた真券判定回数識別情報となっている保証が無く、また確定金種情報もその紙幣９に合致したものとなっている保証が無いからである。
【００３４】
また、紙幣識別機１の制御部Ｃが真券判定回数識別情報及び確定金種情報をホスト２に送信するタイミングは、前述のように、紙幣９が引き抜き防止手段１４を通過した後であることが好ましい。引き抜き防止手段１４の通過前にホスト２側に通知した場合、紙幣９の引き抜きによる不正が成立してしまうからである。
【００３５】
さらにホスト２に送信するデータは、先にメモリ部Ｃ２に書き込まれたデータから生成するようにしておくことが望ましい。通信エラーが発生した場合などのトラブル時、メモリ部Ｃ２からのデータ読み出しで同じデータを送出することができるからである。
【００３６】
真券判定回数識別情報及び確定金種情報のホスト２への通知は、前述のようにポーリング動作によらずに紙幣識別機１側の自主的発信によって行ってもよいが、ポーリング動作に対するレスポンスデータとして送信するならば、ホスト２と紙幣識別機１との組み合わせが変更になった場合も、別途リセット動作等を行わずとも、紙幣識別機１が記憶する真券判定回数識別情報をホスト２が初期値として認識することが可能となる。
【００３７】
また、ホスト２からのデータ受領に関する確認データを紙幣識別機１が受け取った時、メモリ部Ｃ２に書き込まれた確定金種情報を前述のようにゼロクリアするようにしておくと、確定金種情報がメモリ部Ｃ２にあるかどうかで処理済みか未処理であるかの判定が可能であり、停電からの復帰時等の電源立ち上げ時にゼロでない確定金種情報がメモリ部Ｃ２に書き込まれていれば、正常終了していないことを認識することができる。なお、上記確認データは、正常確認の場合と異常確認の場合の双方を含むものとする。正常確認信号であれば、その時はホスト２側で正常に処理されたものとして紙幣識別機１側で判断することができ、異常確認信号であれば、その時の紙幣識別機１の異常状態をホスト２側が認識済みであると判断することができる。
【００３８】
そして、このような正常終了していないと判断される場合は、制御部Ｃは異常状態と認識してエラーモードに入るとともに、この時、ホスト２側のメモリ部Ｄ２に格納されている真券判定回数識別情報ｎと紙幣識別機１側のメモリ部Ｃ２に格納されている真券判定回数識別情報ｍとの比較で、ｎ＝ｍ，ｎ＜ｍ，ｎ＞ｍの３状態に応じて異なるエラーコードをホスト２に対して出力するようにしておくとよい。紙幣識別機１側が上記確認データを受信前に停電になってしまったことがホスト２側で判別することができるものとなる。
【００３９】
真券判定確認情報と確定金種情報とは個別に送出するようにしてもよい。しかし、上述のように一つのデータとしてまとめてホスト２側に送信するものが、データ処理の関係でより好ましい。
【００４０】
ところで、上述の確定金種情報であるが、紙幣識別機が特定の額の紙幣（たとえば１０００円札）のみを受け付け、他の紙幣は受け付けないものであってもよい。つまり確定金種情報が真券であったか否かだけを識別することができるデータで構成されたものであってもよい。この場合、メモリ部Ｃ２に確定金種情報をを書き込まないものであってもよい。
【００４１】
【発明の効果】
以上のように本発明に係る紙幣識別機は、投入された紙幣が真券であるかどうかを判定する識別機能を備えるとともに、投入された紙幣が真券である時に少なくとも確定金種情報を含む紙幣情報を外部に送出する通信部を備えた紙幣識別機であって、上記通信部は上記紙幣情報として真券判定回数識別情報を含むデータを外部に向けて送出するものであるために、停電や断線や通信エラーなどがあっても、紙幣識別機から送出された真券判定回数識別情報を参照することで外部は処理済みかどうかを判別して処理を継続することができるものであり、人手を煩わせる事態を少なくすることができるとともに、停電等の事故からの復帰をスムーズに行うことができる。
【００４２】
投入された紙幣が真券であるとの判定後に真券判定回数識別情報をインクリメントして外部に送出するものであることが、より確実な判定を可能にする点で好ましい。
【００４３】
また、真券判定回数識別情報として任意の範囲内でインクリメントし且つロールオーバーする数値を用いると、外部との間の通信データを固定長とすることができ、処理が容易となる。
【００４４】
また、紙幣の引き抜き防止手段を備えているとともに不揮発性メモリで構成されたメモリ部を備えており、投入された紙幣が真券であるとの判定後で且つ紙幣が引き抜き防止手段を通過する前にインクリメントされた真券判定回数識別情報や確定金種情報をメモリ部に書き込むものでは、引き抜き防止手段を通過した後の紙幣に関しての真券判定回数識別情報や確定金種情報を停電等の事故があっても正しく保持することができる。
【００４５】
また、紙幣の引き抜き防止手段を備えているとともに不揮発性メモリで構成されたメモリ部を備えて、投入された紙幣が真券であるとの判定後で且つ紙幣が引き抜き防止手段を通過した後にインクリメントされた真券判定回数識別情報や確定金種情報を外部に送出するものであると、引き抜きによる不正を確実に防ぐことができる。
【００４６】
メモリ部に書き込まれた情報から外部に送出する情報を生成するものであると、停電等の事故に対する対策をより確実にすることができる。
【００４７】
外部からのポーリングに対するレスポンスデータとして情報を送出するものであれば、紙幣識別機側の情報と外部側の情報との同期を常に適切に保つことができる。
【００４８】
また、紙幣識別機は外部に送出した情報に対する外部からの確認情報を受けてメモリ部に記憶した確定金種情報をクリアするものであると、殊に電源立ち上げ時にメモリ部に書き込まれた確定金種情報をチェックしてクリアされていなければ外部にエラーを通知するエラーモードに入るものであると、正常終了していないことの検出が容易となるとともに、外部側でもこれを認識することができる。
【００４９】
そして本発明に係る紙幣識別装置は、上記の紙幣識別機と、紙幣識別機から送出された紙幣情報に基づいて所要の動作を行うホストとからなり、ホストは紙幣識別機から送られてきた真券判定回数識別情報と前回送られてきた真券判定回数識別情報とを比較する比較部を備えているために、紙幣識別機に紙幣が投入された後でホスト側での処理が全て完了してしまうまでに停電や断線や通信エラーなどがあっても、ホストはその復帰時に紙幣識別機から送られてきた真券判定回数識別情報と前回送られてきた真券判定回数識別情報との比較により、処理済みかどうかを判別することができるものであり、人手を煩わせる事態を少なくすることができるとともに、停電等の事故からの復帰をスムーズに行うことができる。
【図面の簡単な説明】
【図１】本発明の実施の形態の一例のブロック図である。
【図２】同上の紙幣識別機の概略構成を示す説明図である。
【図３】同上の動作を示すタイムチャートである。
【符号の説明】
１  紙幣識別機
２  ホスト
Ｃ  制御部
Ｃ２  メモリ部
Ｄ  制御部
Ｄ２  メモリ部
【図１】
2004178223.tif 000003
【図２】
2004178223.tif 000004
【図３】
2004178223.tif 000005